(57)【要約】【課題】物品の切り裂き性を容易にするとともに、販売のための宣伝広告機能をもたせる。【解決手段】物品の切り裂きラインに沿って、文字・図形・記号あるいはこれらの結合体からなる絵柄の連続からなる絵柄模様を弱め線により形成してなる。これにより切り裂き性が良好となるばかりでなく切り裂き補助帯それ自体として十分な意匠性を発揮し注目されやすく、また購買者などの注意を喚起して宣伝広告機能を持たせることができ、商品の販売促進効果を高めることができる。【選択図】図１
2007308189.tif 000002
【特許請求の範囲】
【請求項１】
物品の切り裂きラインに沿って、文字・図形・記号あるいはこれらの結合体からなる絵柄の連続からなる絵柄模様を弱め線により形成してなることを特徴とする切り裂き補助帯。
【請求項２】
切り裂きラインに沿って表示された絵柄模様が切り裂きラインの長さ方向に複数又は多数回繰り返し表示されているところの請求項１に記載の開封補助帯。
【請求項３】
弱め線がハーフカットにより施されているものであるところの請求項１又は請求項２に記載の切り裂き補助帯。
【請求項４】
絵柄模様が物品の切り裂きラインに沿って複数列並行して施されているところの請求項１〜３のいずれか１に記載の切り裂き補助帯。
【請求項５】
文字を少なくとも一部に含む絵柄模様のうち文字の一部が逆さ文字又は反転文字により表現されるところの請求項１〜４のいずれか１に記載の切り裂き補助帯。
【請求項６】
物品の切り裂きラインに沿って複数列並行して施されている各列の絵柄模様が列単位で同一方向の傾斜柄により表示されており、しかも並行して隣り合う列の傾斜柄の傾斜方向が、相互に反対方向に向けてあるところの請求項１〜５のいずれか１に記載の切り裂き補助帯。
【請求項７】
切り裂きラインに沿って形成された複数または多数の絵柄の個々の絵柄が、切り裂きラインと交わる部分においてそれぞれ切り裂き終了方向に向けて突出させた中折れ絵柄により形成されているところの請求項１に記載の切り裂き補助帯。
【請求項８】
切り裂きラインに沿って形成された複数または多数の絵柄の個々の絵柄が、それぞれの切り裂きラインに沿った部分における開封終了側に凸部が形成されていることを特徴とした請求項１に記載の切り裂き補助帯。
【発明の詳細な説明】
【技術分野】
【０００１】
本発明は、紙やプラスチック材などを用いた包装袋や函体などの開封、あるいはチケット等紙片などの半券切り離しを容易にするための切り裂き補助帯に関し、開封や切り裂きを容易にするだけでなく、切り裂き補助帯部分に趣味感を伴う意匠性を付与し、また弱め線により形成されたところの連続した文字や図形等によりあらわされた絵柄模様を施すことによって販売のための宣伝広告機能をもたせることを目的とする。
【背景技術】
【０００２】
紙袋や函体などにおける開封を容易にするための手段としては、これまでにたとえば開封予定部分に鎖線状のミシン目を入れるようにしたものや、あるいは鎖線状のミシン目に代えてＹ字状あるいはハ字状の変形ミシン目状の切り目を直線状に施すようにしたものが知られている（特許文献１参照）。
【特許文献１】実開平４−８９７６０号公報
【発明の開示】
【発明が解決しようとする課題】
【０００３】
しかしながら、上記した汎用の切り目を施したものは、専ら袋体の開封切断用の目的で施されるものである結果、それ自体は無機質な存在であり格別の趣味感を想起させることがないために意匠性を害することが多い。また密封された袋などに対する使用態様如何によっては切り目の僅かな隙間の存在により気密性が保たれずにバリヤー性の面で問題となることもある。
【課題を解決するための手段】
【０００４】
そこで本発明にあっては、切り裂きを容易にするだけでなく、とくに切り裂き補助帯自体に高い意匠性を付与し、また趣味感を想起させる絵柄模様を弱め線により施すことにより販売のための宣伝広告機能をもたせるようにしたものであって、具体的には物品の切り裂きラインに沿って、文字・図形・記号あるいはこれらの結合体からなる絵柄の連続からなる絵柄模様を弱め線により形成してなることを特徴とする切り裂き補助帯に関する。
【発明の効果】
【０００５】
本発明は上記の通り、物品の切り裂きラインに沿って施された切り裂き補助帯として、趣味感を想起させる柄模様を弱め線により施したために切り裂き性が良好であり、また切り裂き補助帯それ自体として趣味的意匠性を発揮し注目されやすく、また購買者などの注意を喚起して宣伝広告機能を持たせることができ、商品の販売促進効果を高めることができる。さらに印刷や印字を切り裂き補助帯上や、あるいはその周囲部分に施すことにより、さらなる宣伝広告機能を発揮させることができる。
【０００６】
また切り裂き補助帯を構成する弱め線が無端状のハーフカットラインにより形成されている場合においては在来の貫通したミシン目を施す場合に比べ、内容物との関係でバリヤー性に優れるばかりでなく引き裂き性にも優れ、また無端状である場合にはハーフカットを施す金型の刃が直線状である場合に比して左右両側共に刃体が幅方向に連続するものであるために刃体の強度が増し、刃の部分的な欠損が著しく減少して耐久性を向上させることができる。
【０００７】
さらに上記の切り裂き補助帯を構成する絵柄模様が物品の切り裂きラインに沿って複数列並行して配設されているとともに、各列の絵柄模様が列単位で同一方向の傾斜柄により表示されており、しかも並行して隣り合う列の絵柄模様の傾斜方向が、相互に反対方向に向けてある場合においては、並行する絵柄模様における切り裂き方向のいずれか片側において両絵柄模様間の切り裂き開始側端部に凹部が形成され、しかもこの凹部が切り裂きラインの終了方向に向けて連続して形成される結果、この凹部に沿って順次容易に切り裂くことができる。
【０００８】
また切り裂きラインに沿って並行に施された絵柄模様が、並行して隣り合う列の絵柄模様の傾斜方向が、相互に反対方向に向けてある文字列が３列である場合においては、切り裂き方向のいずれの側においても略Ｖ字状の凹部が反対側に向けて連続形成される結果、切り裂き方向のいずれの側からも切り裂きが可能となる。
【０００９】
さらに、切り裂きラインに沿って形成された複数または多数の絵柄の個々の絵柄が、切り裂きラインに沿った中央部分においてそれぞれ切り裂き終了方向に向けて突出させた中折れ絵柄により形成されている場合においては、各中折れ絵柄の切り裂き開始側に形成された凹部に沿って順次容易に切り裂くことが可能となる。
【発明を実施するための最良の形態】
【００１０】
以下において本発明の具体的な内容を図の実施例をもとに説明すると、図１において１はシート１ａを折り返して四辺を閉塞することにより袋状に形成した密封包装体をあらわしており、上端辺寄りの位置を開口部２としてある。さらに開口部２には上端辺に平行な切り裂きラインＯＬに沿って切り裂き補助帯３が形成されている。なお同図において４は切り込みノッチ、５は実際には表されない切り裂き補助帯３の切り裂き方向をあらわしている。
【００１１】
なお、ここで用いられるシート１ａについては、各種の飲食材料や薬剤類、歯磨、化粧料などをはじめとし、種々の用途に用いられる袋状の包装体として適するものであれば紙や樹脂シート、あるいは樹脂等のフィルムを重合させたラミネートシートなどのすべての材料が含まれる。
【００１２】
さらに切り裂き補助帯３は、包装材等物品の切り裂きラインＯＬに沿って施されたところの、文字・図形・記号あるいはこれらの結合体からなる絵柄３ａ（図１では５つの文字の絵柄３ａにより「ＫＹＯＤＯ」の斜め文字により柄模様ａ１を表現）の連続からなり、しかもその個々の絵柄３ａおよびそれらの絵柄模様ａ１は貫通した切れ目若しくはハーフカットラインにより形成されている。ここで用いられる絵柄３ａの種類については上記に限定されるものではなく、このほかにも例えば文字として「ＫＰ」や「ＣＵＴ」、あるいは「ＡＢＣ」「アイウエオ」など種々のものが用いられる。
【００１３】
また絵柄３ａを構成する図形としては、例えば図４あるいは図６にあらわしたような「人参」や「トランプ」「スペード」「ハート」「サイコロ」などをはじめとした多彩な図形を用いることができる。また文字や図形などの結合としては、とくに図示はしないが図形の一部に文字を結合させ、あるいは文字と図形とを切り裂きラインＯＬに沿って交互に配置するなど多彩な工夫が可能となる。
【００１４】
なおこの場合、上記切り裂き補助帯３を構成する絵柄３ａの連続、または柄模様ａ１は開封ラインＯＬの開封方向に向けた一列だけでもよく、また図１のように上下２段（ａ１・ａ２）とし、あるいは図３のように３段、あるいはそれ以上の複数段としてもよい。また上記した絵柄３ａが文字による場合には、これを逆さ文字又は反転文字により表現するようにしてもよい。
【００１５】
なお図１の実施例においては、切り裂き補助帯３を構成する上段および下段の絵柄模様ａ１・ａ２をアルファベット５文字の集合体である絵柄模様ａ１・ａ２として「ＫＹＯＤＯ」の繰り返しにより構成している。またこの場合上段の各絵柄模様ａ１は右上がり斜体の逆さ文字であるのに対し、下段の各絵柄模様ａ２は逆に左上がり斜体の逆さ文字により、それぞれ切り裂きラインＯＬの切り裂き方向に向けた絵柄模様ａ１・ａ２の繰り返しにより施されている（なお図１において切り裂き補助帯３をあらわす鎖線は実際には表示されない）。
【００１６】
また図２には切り裂き補助帯３を構成する絵柄模様ａ１等を所定の字数（この場合３文字）の絵柄３ａの集合体として「ＣＵＴ」の絵柄模様ａ１・ａ２・ａ３を切り裂きラインＯＬ方向に繰り返し連続して表示されたものを上下方向に３段並行させることにより切り裂き補助帯３を施したものである。なおこの場合に、文字ではなく図形あるいは記号（〇＃＄☆жРЭ？＠￥など）を施す場合も同様であり、要は切り裂きラインＯＬ方向に連続して施された絵柄模様が変形していれば切り裂き性が良好となる。
【００１７】
なお図２の（Ａ）は「ＣＵＴ」の絵柄模様ａ１・ａ２・ａ３の連続方向において各絵柄模様ａ１・ａ２・ａ３間に若干の隙間をあけるようにしたものであり、また同図（Ｂ）は「ＣＵＴ」の絵柄模様ａ１・ａ２・ａ３の連続方向において各絵柄模様ａ１・ａ２・ａ３間に隙間をあけずに一連に連続させたものである。
【００１８】
しかもこの場合において、包装材の開封ラインＯＬに沿って複数列並行して配設されている各列の単語が列単位で同一方向の傾斜絵柄３ａの連続により表示されており、しかも並行して隣り合う列の各絵柄３ａの傾斜方向が、上段が左傾斜、中断が右傾斜、下段が左傾斜というように、傾斜方向が相互に反対方向に向けて連続させてあるために、密封包装体１における開口部２の左右いずれの側においても切り裂き開始側に向けた略Ｖ字状の凸部６ａ，６ｂ，６ｃ・・・が、上段と中段間には左側に、また中断と下段との間には右側に、それぞれ順次反対側に向けて連続形成される結果、それぞれの切り裂き開始位置に切り込みノッチ４を設けて左右いずれの側からも開封が可能となる。
【００１９】
さらに図３（Ａ）（Ｂ）には、切り裂き補助帯３を構成する絵柄模様の絵柄３ａが、切り裂き方向に対して絵柄の中央部をそれぞれ切り裂き終了方向に向けて突出させた中折れ文字により形成されたものがあらわされている。なお図３の絵柄３ａはアルファベットの「Ｋ」と「Ｐ」とをもって一対と認識可能な、出願人である共同印刷株式会社のシンボルマークである「ＫＰ」を中折れ太文字にてあらわしたものである。この場合に、絵柄３ａである各中折れ文字が開封終了方向に向けて整列配置されている結果、各中折れ文字の開封開始側に形成された凹部８ａ・８ｂ・８ｃ・８ｄ・・・に沿って順次容易に開封することが可能となる。
【００２０】
また図４には絵柄３ａが文字ではなく図形を中折れ状の変形図形としてあらわした場合が示されている。すなわち図４（Ａ）にはニンジンの中折れ状変形図形が、また同図（Ｂ）にはトランプの中折れ状変形図形による絵柄模様が、それぞれあらわされている。これらにおいて切り裂き補助帯３を構成する絵柄３ａが、切り裂き方向に対して絵柄の中央部をそれぞれ切り裂きラインＯＬの切り裂き終了方向に向けて突出させた中折れ状の変形図形により形成されたものがあらわされている。
【００２１】
この場合も同様に、絵柄３ａである各中折れ状の変形図形が切り裂き終了方向に向けて整列配置されている結果、各中折れ状変形図形の切り裂き開始側に形成された凹部８ａ・８ｂ・８ｃ・８ｄ・・・に沿って順次容易に開封することが可能となる。なおこの場合に絵柄３ａは、上記した文字や図形ではなく記号等を施す場合についても同様である。
【００２２】
また、図３または図４において、絵柄模様は切り裂き方向に対して絵柄の中央部を切り裂き終了方向に向けて突出させた屈曲文字又は屈曲状変形図形となっているが、突出させる部分は切り裂き方向に対して絵柄の中央部に限らず、各絵柄の凸部が切り裂きラインＯＬに沿う部分であれば、絵柄模様のどの部分でも構わない。さらに、図３または図４において、屈曲形状は中折れとなっているが、屈曲のさせ方は中折れに限らず、円弧状に曲げる等、突出させる形状であれば、どのようなものでもよい。
【００２３】
さらに図５にあらわしたように、切り裂き補助帯３を構成する柄模様ａ１の絵柄３ａとしてアルファベット「ＡＢＣ」の文字が用いられ、しかもこの場合には趣味感をもたせる柄模様ａ１が切り裂きラインＯＬの切り裂き終了方向に向けてハーフカットラインにより繰り返し形成されており、しかも各絵柄３ａの文字における切り裂きラインＯＬに沿った部分の文字中心に位置する切り裂き開始側中央に、それぞれ凹部７ａ・７ｂ・７ｃ・・・・を、また切り裂き終了側中央に、それぞれ凸部８ａ・８ｂ・８ｃ・・・・をそれぞれ形成するようにしてもよい。このようにすることによって切り込みノッチ４から該凹部７ａおよび凸部８ａ、凹部７ｂおよび凸部８ｂ、凹部７ｃおよび凸部８ｃ、凹部７ｄおよび凸部８ｄ・・・の順に切り裂きラインＯＬに沿って順次切り込んで切り離すことが可能となる。
【００２４】
また切り裂き補助帯３を構成する絵柄模様ａ１の絵柄３ａとして、上記したアルファベットではなしに片仮名をもって「アイウエオ」の文字を用い、しかも趣味感をもたせる柄模様ａ１が切り裂きラインＯＬの切り裂き終了方向に向けて弱め線により繰り返し形成されてた実施例が図６（Ｅ）にあらわされている。この場合の開封過程についても上記した図５の実施例の場合と同様である。
【００２５】
さらに図６（Ａ）〜（Ｄ）には、図５の柄模様ａ１の変形、すなわち個々の絵柄３ａが文字ではなく図形によりあらわされた場合の実施例が示されている。すなわち同図における（Ａ）はニンジン、（Ｂ）はトランプのスペード、（Ｃ）はハートマーク、（Ｄ）はサイコロを、それぞれあらわし、しかも趣味感をもたせる柄模様ａ１が切り裂きラインＯＬの切り裂き終了方向に向けて弱め線により繰り返し形成されており、しかも各絵柄３ａの図形における切り裂きラインＯＬに沿った部分の図形中心に位置する切り裂き開始側中央に、凹部７ａ・７ｂ・７ｃ・・・・を、また切り裂き終了側中央に、それぞれ凸部８ａ・８ｂ・８ｃ・・・・をそれぞれ形成してある。なおこの場合の切り裂き過程についても上記した図５の実施例の場合と同様である。
【００２６】
また、図５および図６において、絵柄模様は切り裂きラインＯＬに沿った部分の絵柄中心に位置する切り裂き開始側中央に凹部を、切り裂き終了側中央に凸部をそれぞれ形成されているが、凹部と凸部を形成する部分は切り裂き方向中央部に限らず、各絵柄の凸部と凸部が切り裂きラインＯＬに沿う部分であれば、絵柄模様のどの部分でも構わない。さらに、図５および図６において、凸部は略Ｖ字状となっているが、凸部の形状はＶ字状に限らず、円弧状等、凸形状であれば、どのようなものでもよい。
【００２７】
なお、上記の各実施例においては本発明の切り裂き補助帯３を形成する対象としてシート状のものについて説明をしたが、このほかにもカートン状のもの、その他包装材全般のほかに、紙製の半券切り離しチケットなど、切り離す必要のある全てのものについても適用が可能である。さらに各絵柄をハーフカットラインにより形成した場合においては内容物との関係でバリヤー性にも優れる。また弱め線を施す物品が包装材である場合には、弱め線を構成する絵柄を内容物と関連する絵柄とすることにより宣伝広告効果がより一層高まる。
【００２８】
さらに上記した各実施例においては、物品に施す切り裂き補助帯が直線状である場合について説明したが、曲線状であってもよく、あるいは直線と曲線との結合でもよい。また上記の各実施例においては、切り裂きラインに沿って施される切り裂き補助帯として切り裂きラインに沿った全体にわたり施す場合について記載したが、切り裂きラインの長さ方向の一部について施しただけでもある程度の目的を達することができる。さらに、弱め線については物品の切り裂きラインを他の部分よりも脆弱にし切り裂きやすくするものであれば、貫通した切れ目やハーフカット等、全てのものが適用可能である。
【図面の簡単な説明】
【００２９】
【図１】本発明の一実施例である開封補助帯を施した密封袋体の一例をあらわした袋体の正面図。
【図２】開封補助帯を構成する柄模様の一例をあらわした開封補助帯の部分正面図。
【図３】本発明の柄模様についての別の実施例をあらわした密封袋体の部分的正面図。
【図４】本発明の柄模様についてのさらに別の実施例をあらわした密封袋体の開口部である部分的な正面図。
【図５】本発明の柄模様についてのさらに別の実施例をあらわした密封袋体の開口部である部分的な正面図。
【図６】本発明の柄模様についてのさらに別の実施例をあらわした密封袋体の開口部である部分的な正面図。
【符号の説明】
【００３０】
１          密封包装体
１ａ        シート
２          開口部
３          切り裂き補助帯
３ａ        絵柄
ａ１        絵柄模様
ａ２        絵柄模様
４          切り込みノッチ
５          切り裂き補助帯の切り裂き方向
６          凹部
７          凹部
８          凸部
ＯＬ        切り裂きライン
【図１】
2007308189.tif 000003
【図２】
2007308189.tif 000004
【図３】
2007308189.tif 000005
【図４】
2007308189.tif 000006
【図５】
2007308189.tif 000007
【図６】
2007308189.tif 000008